(57)【要約】【課題】本発明は、従来の洗濯用保護ネットＮが有していた問題点を解決し、少なくともパンツ等に対する専用性が高く、使い勝手がよく、洗濯物の保護機能が良く、しかも洗濯効果に好影響を及ぼす洗濯用保護ネットＮを提供すること。【解決手段】  洗濯物を間に挟持し且つ巻き込み可能な挟持ネットシート体１と、該挟持ネットシート体１を収納可能であり且つそれと一体となった収納ネット体４とよりなる洗濯用保護ネットＮであって、挟持ネットシート体１が、間に洗濯物を挟持する際の洗濯物の方向性を示す形を備えている洗濯用保護ネット。【選択図】図１
2011136096.tif 000002
【特許請求の範囲】
【請求項１】
洗濯物を間に挟持し且つ巻き込み可能な挟持ネットシート体と、該挟持ネットシート体を収納可能であり且つそれと一体となった収納ネット体とよりなる洗濯用保護ネットであって、挟持ネットシート体が、間に洗濯物を挟持する際の洗濯物の方向性を示す形を備えていることを特徴とする洗濯用保護ネット。
【請求項２】
下端部の一角が斜め方向に切り欠かれた傾斜部を有する略長方形状のベース・ネットシート体が、該ベース・ネットシート体の長手方向長辺部に、該長手方向長辺部を折り目として折り重ね自在に対称的に取り付けられた、ベース・ネットシート体と略同寸同形のカバー・ネットシート体を有して挟持ネットシート体を形成するとともに、前記ベース・ネットシート体の上端部には、外周面部と一対の側面部とで形成され開口部を有する立体状の収納ネット体が、開口部の下辺部近傍をもって取り付けられていて、収納ネット体に、ベース・ネットシート体にカバー・ネットシート体を折り重ねた状態の挟持ネットシート体をロール状に巻き上げて前記開口部を通して収納可能にしたことを特徴とする洗濯用保護ネット。
【請求項３】
カバー・ネットシート体が傾斜部を有しない長方形状であることを特徴とする請求項１または２記載の洗濯用保護ネット。
【請求項４】
ベース・ネットシート体が傾斜部を有しない長方形状であることを特徴とする請求項１または２記載の洗濯用保護ネット。
【請求項５】
ベース・ネットシート体の下端部にベース・ネットシート体に折り重ね自在に延出部が設けられていることを特徴とする請求項１〜４のいずれか１項に記載の洗濯用保護ネット。
【請求項６】
ベース・ネットシート体と延出部が一体の素材であることを特徴とする請求項５記載の洗濯用保護ネット。
【請求項７】
ロール状に巻き上げた延出部が平面状に復元可能な剛性を有していることを特徴とする請求項５記載の洗濯用保護ネット。
【請求項８】
ベース・ネットシート体２とカバー・ネットシート体３、そして、または延出部２１の周縁部近傍に、ベース・ネットシート体２とカバー・ネットシート体３、そして、または延出部２１とを接結可能な接結部材１３が設けられていることを特徴とする請求項１または５記載の洗濯用保護ネット。
【請求項９】
接結部材がタッチファスナー、またはスナップ、またはファスナーであることを特徴とする請求項８記載の洗濯用保護ネット。
【発明の詳細な説明】
【技術分野】
【０００１】
本発明は、洗濯物が洗濯時に型くずれや損傷を受けないように保護するための洗濯用保護ネットに関し、詳しくは、洗濯用保護ネットに洗濯物をセットする際、迅速にしかも確実にセットできる、主にパンツ（ズボン）用に供される洗濯用保護ネットに関する。
【背景技術】
【０００２】
洗濯をする際、洗濯機の液流により洗濯物が受ける、こすれ、ねじれ、引っ張り等による損傷や型くずれを防止し、加えて浮遊クズの付着を防止するために洗濯用保護ネットが用いられている。
この洗濯用保護ネットには平面状のものや立体状のものが開発され使用されている。
平面状のものは開口部を有した袋体となっていて、ストッキングやシャツなどの比較的薄手の物を対象とする。
これに対し立体状のものは、ブラジャー等のように立体形状を有するものや毛布、厚手の衣類などの大物を対象として用いられている。
【０００３】
これらの洗濯用保護ネットには、その基本形に付随した機能として、洗濯用保護ネット内に洗濯物を固定するための手段や、洗濯後そのまま物干し竿に掛けて乾燥できるようにした手段等が講じられたものがある。
更には特許文献１に見られるように洗濯用保護ネット自体がシャツ状に袖付きの形状となっていてシャツの洗濯に利便性を発揮しているものなどもある。
【０００４】
これらの一つの手段として、特許文献２に示される洗濯用具がある。
その内容を明細書に用いられている用語で説明すれば、パンツやシャツ等を、収納ネットの開口部近傍に端部を固定されたネット状のシート体で挟み込み、これを丸めた状態で収納ネットに収納して後、洗濯する洗濯用具である。
【０００５】
この洗濯用具は、主にシャツやパンツ（ズボン）などの長尺物に使用されるもので、特にシャツ用に利便性が図られている。
例えば、襟用に開口部が設けられていたり、２枚のネット状のシート体が上下に振り分け可能となっていてシャツを挟み込むようにセットした後、袖をネット状のシート体の上に折り込んで円筒状に巻き上げ、収納ネットに収納するものである。
【０００６】
ところが、上記洗濯用具は少なくともシャツやパンツ等の洗濯に併用できるものであり、それなりに利便性を有するが、その利便性については対応対象が増えるほど低下することは免れない。
例えばシャツ用に構成された上記洗濯用具では、これをパンツ用に使用する場合は、セットした後、２枚のネット状のシート体が分離しているので、これを丸める際や洗濯中にパンツが横ズレしてしまい、折れ目の保護にその機能を果たさない問題が生ずる。
【０００７】
本明細書においてパンツ用として記載されている内容についても収納ネット開口部に取り付けられたネット状のシート体にパンツをセットした後、ネット状のシート体を縦方向に二つ折りにしてパンツを挟み込み、これを丸めて収納ネットに収納するとしているが、セットする際のパンツの方向、つまりパンツの裾を巻き始めにおくのか、巻き終わりに置くのか等についての使用者に対する確実な指示機能が見あたらない。
【０００８】
このセットするパンツの方向の重要度については具体的には後述するが、洗濯効果や使い勝手において無視できない影響があるのである。
一例をあげれば、パンツのベルト側から巻き始める場合には、ベルト側は厚手で凹凸があり極めて巻きにくく結果的に均一に巻き上げきれない等の問題がある。
加えてこの洗濯用具をシャツに用いるにはシャツを無理に折り込む必要が生じ、シャツの形態保護性に問題が残る。
【０００９】
以上のように、従来の洗濯用保護ネットにおいては、未だ不便な点が多々存在する。
そして、高級衣料商品と洗濯用保護ネットをペアで発売する傾向が見られるような昨今においては、使用者の立場からすれば、洗濯用保護ネットを用いなければならないレベルの繊細で高級な洗濯対象物に関しては、パンツであればパンツ専用の、或いはシャツであればシャツ専用の洗濯用保護ネットが要望されているのである。  
【先行技術文献】
【特許文献】
【００１０】
【特許文献１】特許第２６９６０９４号
【特許文献２】特許第４１４９７８６号
【発明の概要】
【発明が解決しようとする課題】
【００１１】
本発明は以上のような諸事情を背景になされたものである。
すなわち本発明の目的は、従来のような洗濯用保護ネットが有する専用性の観点からの問題点や使い勝手に関する問題点を解決し、保護機能を十分に有し、しかも使い勝手の良い、主にパンツ用に用いられる洗濯用保護ネットＮを提供するところにある。
【課題を解決するための手段】
【００１２】
上記課題を解決するため、洗濯物を挟持ネットシート体１にセットしてこれを筒状に巻き上げ、更に収納ネット体４に収納して洗濯する２段構えタイプの洗濯用保護ネットＮにおいて、挟持ネットシート体１の形状に効果的な変化をつけて使用勝手を良くした専用性のある洗濯用保護ネットＮを提供する本発明の完成に至った。
【００１３】
即ち、本発明は、（１）、洗濯物を間に挟持し且つ巻き込み可能な挟持ネットシート体１と、該挟持ネットシート体１を収納可能であり且つそれと一体となった収納ネット体４とよりなる洗濯用保護ネットＮであって、挟持ネットシート体１が、間に洗濯物を挟持する際の洗濯物の方向性を示す形を備えている洗濯用保護ネットＮに存する。
【００１４】
即ち、本発明は、（２）、下端部２４の一角が斜め方向に切り欠かれた傾斜部１１を有する略長方形状のベース・ネットシート体２が、該ベース・ネットシート体２の長手方向長辺部２２に、該長手方向長辺部２２を折り目として折り重ね自在に対称的に取り付けられた、ベース・ネットシート体２と略同寸同形のカバー・ネットシート体３を有して挟持ネットシート体１を形成するとともに、前記ベース・ネットシート体２の上端部２３には、外周面部４２と一対の側面部４１とで形成され開口部４３を有する立体状の収納ネット体４が、開口部の下辺部４４近傍をもって取り付けられていて、収納ネット体４に、ベース・ネットシート体２にカバー・ネットシート体３を折り重ねた状態の挟持ネットシート体１をロール状に巻き上げて前記開口部４３を通して収納可能にした洗濯用保護ネットＮに存する。
【００１５】
即ち、本発明は、（３）、カバー・ネットシート体３が傾斜部１１を有しない長方形状であることを特徴とする上記（１）または（２）記載の洗濯用保護ネットＮに存する。
【００１６】
即ち、本発明は、（４）、ベース・ネットシート体２が傾斜部１１を有しない長方形状である上記（１）または（２）記載の洗濯用保護ネットＮに存する。
【００１７】
即ち、本発明は、（５）、ベース・ネットシート体２の下端部２４に、ベース・ネットシート体２に折り重ね自在に延出部２１が設けられている上記（１）〜（４）にいずれか１項に記載の洗濯用保護ネットＮに存する。
【００１８】
即ち、本発明は、（６）、ベース・ネットシート体２と延出部２１が一体の素材である上記（５）記載の洗濯用保護ネットＮに存する。
【００１９】
即ち、本発明は、（７）、ロール状に巻き上げた延出部２１が平面状に復元可能な剛性を有している上記（５）記載の洗濯用保護ネットＮに存する。
【００２０】
即ち、本発明は、（８）、ベース・ネットシート体２とカバー・ネットシート体３、そして、または延出部２１の周縁部近傍に、ベース・ネットシート体２とカバー・ネットシート体３、そして、または延出部２１とを接結可能な接結部材１３が設けられている上記（１）または（５）記載の洗濯用保護ネットＮに存する。
【００２１】
即ち、本発明は、（９）、接結部材１３がタッチファスナー、またはスナップ、またはファスナーである上記（８）記載の洗濯用保護ネットＮに存する。
【００２２】
なお、本発明の目的に沿ったものであれば上記（１）から（９）を適宜組みあわせた構成も採用可能である。
【００２３】
本発明の洗濯用保護ネットＮは、挟持ネットシート体１のベース・ネットシート体２、または、そしてカバー・ネットシート体３の下端部２５の一角が斜め方向に切り欠かれた傾斜部１１を有しているので、パンツをベース・ネットシート体２上にセットする際、方向性が容易に認識できる。
すなわち傾斜部１１のある方に間違いなくパンツの裾部Ｐ１を向けてセットでき、使用者にセット方向に関する無駄な判断を求めることなく、使い勝手が格段に向上し、且つ、確実な洗濯効果を得ることができる。
【００２４】
傾斜部１１の存在により確実にパンツの裾部Ｐ１をベース・ネットシート体２の下端部２４に向けてセットし、カバー・ネットシート体３を折り重ねてロール状に巻き上げる場合には、裾部Ｐ１がベルト部Ｐ２に比べて薄手、軽量で嵩張らず、また凹凸も少ないので均一なロール状に巻き上げることができる。
このことは洗濯中にロールが均一に緩みやすくなることとなり、洗濯液流も通過しやすく洗濯効果が大きい。
【００２５】
そして、ベース・ネットシート体２には、該ベース・ネットシート体２の長手方向長辺部２２に、該長手方向長辺部２２を折り目としてカバー・ネットシート体３が折り重ね自在に取り付けられているので、ベース・ネットシート体２上にパンツをセットする際、パンツの前側の折り目部分、つまり前線部Ｐ３を長手方向長辺部２２の折り目にあてがい、その後、カバー・ネットシート体３を折り重ねれば、一層、セット精度が向上し、挟持ネットシート体１による挟持力が発揮されて、洗濯の際にパンツが挟持ネットシート体１からずれるような現象が回避される。
【００２６】
そして、収納ネット体４にはベース・ネットシート体２の上端部２３のみが固定され、カバー・ネットシート体３の上端部２６は固定されることなく跳ね上げることができるので、ベース・ネットシート体２にパンツ等の洗濯物をセットする場合、障害になるものがなく使い勝手が良い。  
【００２７】
そして、ベース・ネットシート体２がその下端部２４に傾斜部１１を有し、カバー・ネットシート体３が長方形状である場合には、ベース・ネットシート体２にパンツをセットした後、カバー・ネットシート体３を折り重ね、カバー・ネットシート体３のベース・ネットシート体２の傾斜部１１からはみ出た部分をベース・ネットシート体２の裏側に折り込むことでベース・ネットシート体２とカバー・ネットシート体３が確実に結合されて、パンツの移動、ズレ現象を防ぐことができる。
【００２８】
そして、ベース・ネットシート体２が長方形状でカバー・ネットシート体３がその下端部２４に傾斜部１１を有している場合には、裾部Ｐ１が特別に大きなパンツ等の場合でも、十分な余裕をもってベース・ネットシート体２上にパンツをセットでき、しかもその方向性は、カバー・ネットシート体３の傾斜部１１の存在により視認できるので問題がなく利便性の向上が図られる。
【００２９】
そして、ベース・ネットシート体２の下端部２４に延出部２１が設けられている場合には、パンツＰをベース・ネットシート体２上にセットした後、延出部２１をベース・ネットシート体２上に折り重ねてパンツの裾部Ｐ１を確実に挟み込み、後、カバー・ネットシート体３をその上に折り重ねて、これをロール状に巻き上げるので、巻き上げ状態もよくパンツＰへの挟持力も格段に向上する。
【００３０】
そして、ベース・ネットシート体２と延出部２１が一体の素材である場合には、ベース・ネットシート体２の下端部２４に延出部２１を縫製などで結合する加工工程が省略でき、コスト面での利点がある。
【００３１】
更に、ロール状に巻き上げた延出部２１が平面状に復元可能な程度の剛性を有している場合には、ベース・ネットシート体２を巻き上げる際に、延出部２１が中空のパイプ状となってこれが軸となりスムースに巻き上げることができる。
そして、ロール状に巻き上げて収納ネット体４に収納した際、延出部２１の復元力により中空パイプ状態が維持され、洗濯液の通水効果が向上する。
【００３２】
そして、ベース・ネットシート体２やカバー・ネットシート体３、並びに延出部２１の相対する面にタッチファスナーやスナップ、或いはファスナー等の接結部材１３が設けられている場合には、挟持ネットシート体１の洗濯物の挟持力が一層向上するとともに互いの外周部を確実に揃えることができるので使い勝手もよく精度良くロール状に巻き上げることができる。
【図面の簡単な説明】
【００３３】
【図１】図１は、ベース・ネットシート体とカバー・ネットシート体とからなる挟持ネットシート体と、収納ネット体とで構成される洗濯用保護ネットの実態模式図である。
【図２】図２は、本洗濯用保護ネットにおける収納ネット体の部分断面を示した断面模式図である。
【図３】図３は、挟持ネットシート体の断面模式図である。
【図４】図４は、第１の実施の形態の使用例を示す実態模式図である。
【図５】図５は、第１の実施の形態の洗濯用保護ネットにおける挟持ネットシート体の巻き上げ状態を示す実態模式図である。
【図６】図６は、第１の実施の形態における挟持ネットシート体を巻き上げて収納ネット体内に収納した状態の部分実体模式図である。
【図７】図７は、接合部材を設けた実態模式図である。
【図８】図８は、延出部を設けた第２の実施の形態を示す実態模式図である。
【図９】図９は、第２の実施の形態における洗濯用保護ネットの実体模式図である。
【図１０】図１０は、第３の実施の形態における、カバー・ネットシート体が長方形状である洗濯用保護ネットを示す実体模式図である。
【図１１】図１１は、第３の実施の形態における洗濯用保護ネットの使用状態を示す実体模式図である。
【図１２】図１２は、第４の実施の形態における、ベース・ネットシート体が長方形状である洗濯用保護ネットを示す実体模式図である。
【発明を実施するための形態】
【００３４】
以下、必要に応じて図面を参照しつつ、本発明の好適な実施形態について詳細に説明する。
【００３５】
（第１の実施の形態）  
図１は、本発明の第１の実施の形態を示す実体模式図である。本実施の形態における洗濯用保護ネットＮは、挟持ネットシート体１と収納ネット体４とで構成される。
挟持ネットシート体１は、ベース・ネットシート体２と、その長手方向長辺部２２に対称的に取り付けられたカバー・ネットシート体３とで構成されている。
ベース・ネットシート体２とカバー・ネットシート体３はともに、その下端部２４、２５の一角が斜め方向に切り欠かれた傾斜部１１を有している。
【００３６】
そして、図２の断面模式図に示すようにベース・ネットシート体２の上端部２３は収納ネット体４の開口部４３の下辺部４４に縫製により固定されている。
なお参考までに図２に縫製の具体的態様を拡大して示す。
本実施の形態で縫製により取り付けられているが、タッチファスナーやスナップ等で脱着自在とすることも可能である。
開口部４３の下辺部４４、上辺部４５にはファスナー４６が取り付けられていて、巻き上げられた挟持ネットシート体１が収納ネット体４に収納された後、閉じられる。
【００３７】
ベース・ネットシート体２とカバー・ネットシート体３は、図３の断面模式図に示すように、それぞれの長手方向長辺部２２を重ね合わせて縫製される。また、周縁は、縁取り布１２（バイヤステープ等）によって縁取りされる。
本実施の形態においては縁取り布１２には、薄手で通水性のあるトリコット編地を採用している。
トリコット編地とは経編機の１種であるトリコット機で編成される編地である。
併せて収納ネット体４の素材もトリコット編地を採用している。
【００３８】
なお、ベース・ネットシート体２、並びにカバー・ネットシート体３の互いに相対する側に、それぞれを接結するための接結部材１３を設けることも可能である（図７参照）。
この場合、接結部材１３としては、ファスナー、ホック等が使用される。
【００３９】
本実施の形態における洗濯用保護ネットＮの使用例を図面にもとづき説明する。
図１の実体模式図に示すように、カバー・ネットシート体３を開いてパンツＰの裾部Ｐ１をベース・ネットシート体２の下端部２４に向け（図でいう右側）、パンツの前線部Ｐ３のラインを長手方向長辺部２２にあてがいセットする。
その後、図４の実体模式図に示すようにカバー・ネットシート体３を折り返し（矢印Ｙ１）、ベース・ネットシート体２上に重ねる。
【００４０】
このように準備した挟持ネットシート体１を図５の実体模式図に示すようにロール状に巻き上げていく。
本実施の形態においては、挟持ネットシート体１の素材がラッシェルネット地であり、それ自体が、加工時の樹脂付与や熱セットにより一定の剛性を有しているので、巻き上げる際、下端部２４、２５の部分が中空パイプ状となって、あたかもロール芯の機能を発揮し巻き上げるのに便利である。
前記ラッシェルネット地とは経編機の１種であるラッシェル機により製造されるネット編地である。
【００４１】
巻き上げられた挟持ネットシート体１は、図６の部分実体模式図に示すように収納ネット体４の中に収納される。
この状態においても、挟持ネットシート体１の下端部２４、２５は中空パイプ状となって洗濯液の流路が確保される。
結果的に中心部からも洗濯液が行き届くようになる。
ここで、パンツＰの裾部Ｐ１をベース・ネットシート体２の下端部２４に向けてセットしてロール状に巻き上げ、収納ネット体４に収納した場合、裾部Ｐ１が下側に、ベルト部Ｐ２が外側にある状態となる。
そのため面積の広いベルト部Ｐ２であっても皺になりにくいという効果もある。
【００４２】
ここで、洗濯効果のパネリングテストについて述べる。
下記の２ケースに付いて、皺についての実験を行った。
イ）裾部Ｐ１から巻き上げて収納したもの。
ロ）ベルト部Ｐ２から巻き上げて収納したもの。
実験の条件は、１０点のパンツＰ［女性用綿製品Ｍサイズ（Ｙ社製）］を被洗濯体とし、それを第１の実施の形態の保護ネットを用いて、上記設定イ）の方法で収納し試験保護ネット１〜５を用意した。
また同様にして設定ロ）の方法で収納し試験保護ネット６〜１０を用意した。
ここで保護ネットは、ラッシェルネット地製で、収納ネット体は幅４２ｃｍ、径１５ｃｍ、展開した挟持ネットシート体（傾斜部を有する）は幅８０ｃｍ、長さ１００ｃｍである。
試験保護ネット１〜１０を，洗濯機（Ｍ社製）で洗濯した後、すぐ水を抜き、そのまま、取り出して２時間放置した。
これらの試験保護ネット１０個を３名の試験者によって皺状態を視認し次の３段階に分類した。
◎：皺がない
○：皺が殆どない
△：少しある
×：かなりある
実験結果を表１に示す。            
【００４３】
＜表１＞
2011136096.tif 000003
【００４４】
以上のパネリングテストをまとめると、イ）の裾部Ｐ１から巻き上げたものの方がロ）のベルト部Ｐ２から巻き上げて収納したものより、皺が付きにくい傾向が見られた。
裾部Ｐ１から巻き始めた方が、単に巻き姿がきれいで、しかも作業がやり良いと言ったことのみではなく、洗濯効果の１つである皺に関して好影響を及ぼすと判断される。
本発明の洗濯用保護ネットＮでは、方向性を示す把持ネットシート体によって、例えば、老人や子供でも、パンツＰの裾部Ｐ１をベース・ネットシート体２の下端部２４に向けてセットすることが確実にできるため、効率良い洗濯効果を上げることができることとなる。
【００４５】
（第２の実施の形態）  
図８に第２の実施の形態における洗濯用保護ネットＮの実体模式図を示す。本実施の形態では、ベース・ネットシート体２の下端部２４に延出部２１が更に設けられる。
本実施の形態では延出部２１はベース・ネットシート体２と一体に形成されているとともに合成樹脂を別に含浸させて適度な剛性を付与してある。
延出部２１についてはベース・ネットシート体２とは別体のものを縫製等により後付けすることも可能である。
また、接結部材を延出部２１、並びにそれと相対するカバー・ネットシート体３に取り付けることも当然可能である。
【００４６】
図９において、挟持ネットシート体１にパンツ１をセットする事などに関しては、第１の実施の形態と同用であるが、ベース・ネットシート体２にカバー・ネットシート体３を重ねた後（矢印Ｙ１）、延出部２１をカバー・ネットシート体３上に折り重ねる（矢印Ｙ２）。
カバー・ネットシート体３と延出部２１の折り返し順については、先に延出部２１を折り返し、その後、カバー・ネットシート体３を折り返すように逆にしても問題はない。  
【００４７】
このように準備された挟持ネットシート体１をロール状に巻き上げるが、延出部２１が設けられていることで、パンツＰの裾部Ｐ１を確実に挟持でき、巻き込み易く、また、巻き姿もきれいになる。
そして、巻き上げた挟持ネットシート体１を収納ネット体４に収納する。
第１の実施の形態（延出部２１が無い）に比べて、延出部２１の剛性による適度な復元力が更に加味され、挟持ネットシート体１の下端部２４、２５は延出部２１とともに中空パイプ状となって洗濯液の流路が確保される効果があり、第１の実施の形態と同様の現象で洗濯液が行き届き洗濯効果が大きくなる。
【００４８】
延出部２１の復元力効果については、ベース・ネットシート体２の素材がラッシェルネット地を採用しているので、特段の合成樹脂による剛性付与を行わない場合でも、ラッシェルネット地自体を加工する際に樹脂加工や熱セット等を行うことにより適宜な剛性を有していて、程度の差はあるものの前記ロール芯のような機能を発揮する。
【００４９】
（第３の実施の形態）
図１０に第３の実施の形態における洗濯用保護ネットＮの実体模式図を示す。
本実施の形態の洗濯用保護ネットＮは、第２の実施の形態に比してカバー・ネットシート体３が長方形状をなす。
外形はベース・ネットシート体２と同様であるが、傾斜部１１を有していない。
本洗濯用保護ネットＮの使用法は、その裏側から見た実体模式図(図１１)に示すように、まず、パンツＰをベース・ネットシート体２上にセットした後、カバー・ネットシート体３を折り重ねて、ベース・ネットシート体２の傾斜部１１のラインに従って裏側に巻き込む（矢印Ｙ３）。
この裏側への巻き込みがパンツＰをしっかりと挟持する効果を発揮する。
他の機能は、上記実施の形態第１、第２の洗濯用保護ネットＮと変わらない。本実施の形態に延出部２１を設けることは当然可能である。
【００５０】
（第４の実施の形態）
図１２に第４の実施の形態における洗濯用保護ネットＮの実体模式図を示す。
本実施の形態の洗濯用保護ネットＮは、第２の実施の形態に比してベース・ネットシート体２が長方形状をなす。
上記第３の実施の形態と逆の形態である。
本実施の形態の洗濯用保護ネットＮにおいては、ベース・ネットシート体２が長方形であるので、カバー・ネットシート体３をベース・ネットシート体２上に折り重ねた後、カバー・ネットシート体３の傾斜部１１のラインに従ってベース・ネットシート体２を表側に折り返しカバー・ネットシート体３に重ねることとなる。
利点、機能は第３の実施の形態と同様である。本実施の形態に延出部２１を設けることも当然可能である。
【００５１】
以上、本発明をその実施の形態を例に説明したが、本発明は要旨の変更のない限り、実施の形態のみに限定されるものではなく多様な変形例が可能である。
例えば、収納ネット体の開口部を大きな形状のものや上下分割可能にして、巻き上げた挟持ネットシート体１を収納しやすくすること、或いは収納ネット体４の素材を大きなネット目を有するラッシェルネット地として洗濯液を通過し易くし、洗濯効果を向上させることなどは当然可能である。
また、延出部２１の形状、寸法の変形もベース・ネットシート体２、カバー・ネットシート体３の形態に合わせた変更が可能である。
更に挟持ネットシート体１の素材に関してもラッシェルネット地に限らず、トリコット編地や不織布、織物等の採用が可能であることは言うまでもない。
【産業上の利用可能性】
【００５２】
本発明の洗濯用保護ネットＮは、ベース・ネットシート体２とカバー・ネットシート体３のいずれか、もしくは両者ともに傾斜部１１を設け、使用者にパンツのセット方向を指示する機能を持っていることに加えて、延出部２１を設けることにより更に挟持力を増すことやロール芯の役割を果たし巻き上げやすい等の効果が見られる。
そして、延出部２１、並びに挟持ネットシート体１自体が有する剛性により、ロール状に巻かれた状態が緩み、洗濯効果に好影響を与える等、従来の洗濯用保護ネットＮに見られない特徴がある。
そして本洗濯用保護ネットＮは洗濯用保護ネットの分野に限らず、旅行用の収納具や家庭における衣料の整理具等としても利用可能である。
【符号の説明】
【００５３】
Ｎ…洗濯用保護ネット
Ｐ…パンツ
Ｐ１…裾部
Ｐ２…ベルト部
Ｐ３…前線部
Ｙ１…カバー・ネットシート体を折り返す方向
Ｙ２…延出部を折り返す方向
Ｙ３…カバー・ネットシート体の一部を折り返す方向
１…挟持ネットシート体
１１…傾斜部
１２…縁取り布
１３…接結部材
２…ベース・ネットシート体
２１…延出部
２２…長手方向長辺部
２３…ベース・ネットシート体の上端部
２４…ベース・ネットシート体の下端部
２５…カバー・ネットシート体の下端部
２６…カバー・ネットシート体の上端部
３…カバー・ネットシート体
４…収納ネット体
４１…側面部
４２…外周面部
４３…開口部
４４…開口部の下辺部
４５…開口部の上辺部
４６…開口部のファスナー
【図１】
2011136096.tif 000004
【図２】
2011136096.tif 000005
【図３】
2011136096.tif 000006
【図４】
2011136096.tif 000007
【図５】
2011136096.tif 000008
【図６】
2011136096.tif 000009
【図７】
2011136096.tif 000010
【図８】
2011136096.tif 000011
【図９】
2011136096.tif 000012
【図１０】
2011136096.tif 000013
【図１１】
2011136096.tif 000014
【図１２】
2011136096.tif 000015
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
パンツを間に挟持し且つ巻き込み可能な挟持ネットシート体と、該挟持ネットシート体を収納可能であり且つそれと一体となった収納ネット体とよりなる洗濯用保護ネットにおいて、挟持ネットシート体が、間にパンツを挟持する際のパンツの方向性を示す形を備えるものであって、
前記挟持ネットシート体は、
下端部の一角が斜め方向に切り欠かれた傾斜部を、前記パンツの方向性を示す形として有する略長方形状のベース・ネットシート体と、該ベース・ネットシート体の長手方向長辺部に、該長手方向長辺部を折り目として折り重ね自在に対称的に取り付けられた、下端部の一角が斜め方向に切り欠かれた傾斜部を有し、ベース・ネットシート体と略同寸同形の長方形状のカバー・ネットシート体とから形成され、
前記ベース・ネットシート体の上端部には、外周面部と一対の側面部とで形成され開口部を有する立体状の収納ネット体が、該開口部の下辺部近傍をもって取り付けられていて、該収納ネット体に対して、ベース・ネットシート体にカバー・ネットシート体を折り重ねた状態の挟持ネットシート体をロール状に巻き上げて、前記開口部を通して収納可能にしたことを特徴とする洗濯用保護ネット。
【請求項２】
ベース・ネットシート体の下端部に、ベース・ネットシート体に折り重ね自在に延出部が設けられていることを特徴とする、請求項１記載の洗濯用保護ネット。
【請求項３】
ベース・ネットシート体と延出部が一体の素材であることを特徴とする、請求項２記載の洗濯用保護ネット。
【請求項４】
ロール状に巻き上げた延出部が、平面状に復元可能な剛性を有していることを特徴とする、請求項２記載の洗濯用保護ネット。
【請求項５】
ベース・ネットシート体とカバー・ネットシート体の周縁部近傍に、ベース・ネットシート体とカバー・ネットシート体とを接結可能な接結部材が設けられていることを特徴とする、請求項１または２記載の洗濯用保護ネット。
【手続補正２】
【補正対象書類名】明細書
【補正対象項目名】００１３
【補正方法】変更
【補正の内容】
【００１３】
即ち、本発明は、（１）、パンツを間に挟持し且つ巻き込み可能な挟持ネットシート体と、該挟持ネットシート体を収納可能であり且つそれと一体となった収納ネット体とよりなる洗濯用保護ネットにおいて、挟持ネットシート体が、間にパンツを挟持する際のパンツの方向性を示す形を備えるものであって、前記挟持ネットシート体は、下端部の一角が斜め方向に切り欠かれた傾斜部を、前記パンツの方向性を示す形として有する略長方形状のベース・ネットシート体と、該ベース・ネットシート体の長手方向長辺部に、該長手方向長辺部を折り目として折り重ね自在に対称的に取り付けられた、下端部の一角が斜め方向に切り欠かれた傾斜部を有し、ベース・ネットシート体と略同寸同形の長方形状のカバー・ネットシート体とから形成され、前記ベース・ネットシート体の上端部には、外周面部と一対の側面部とで形成され開口部を有する立体状の収納ネット体が、該開口部の下辺部近傍をもって取り付けられていて、該収納ネット体に対して、ベース・ネットシート体にカバー・ネットシート体を折り重ねた状態の挟持ネットシート体をロール状に巻き上げて、前記開口部を通して収納可能にした洗濯用保護ネットに存する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
即ち、本発明は、（２）、ベース・ネットシート体の下端部に、ベース・ネットシート体に折り重ね自在に延出部が設けられている上記（１）記載の洗濯用保護ネットに存する。
【手続補正７】
【補正対象書類名】明細書
【補正対象項目名】００１８
【補正方法】変更
【補正の内容】
【００１８】
即ち、本発明は、（３）、ベース・ネットシート体と延出部が一体の素材である上記（２）記載の洗濯用保護ネットに存する。
【手続補正８】
【補正対象書類名】明細書
【補正対象項目名】００１９
【補正方法】変更
【補正の内容】
【００１９】
即ち、本発明は、（４）、ロール状に巻き上げた延出部が、平面状に復元可能な剛性を有している上記（２）記載の洗濯用保護ネットに存する。
に存する。
【手続補正９】
【補正対象書類名】明細書
【補正対象項目名】００２０
【補正方法】変更
【補正の内容】
【００２０】
即ち、本発明は、（５）、ベース・ネットシート体とカバー・ネットシート体の周縁部近傍に、ベース・ネットシート体とカバー・ネットシート体とを接結可能な接結部材が設けられている上記（１）または（２）記載の洗濯用保護ネットに存する。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
なお、本発明の目的に沿ったものであれば上記（１）から（５）を適宜組みあわせた構成も採用可能である。